(57)【要約】      （修正有）【課題】カール処理に必要十分な加熱が可能であり、交換も容易な発熱体を備えたヘアカーラー用交換式発熱体を提供する。【解決手段】頭髪にカール処理を施すためのヘアカーラーに用いる交換式発熱体であって、ヘアカーラーのロッド体側に対向して装着される内面３０と、ロッド体に装着した後に頭髪を巻き付ける外面３１との２つの主面を有する袋体３２と、袋体３２の中に内装される発熱体３３と、袋体がロッド体外周で保持される保持手段３４とを備える。【選択図】図２
0003188696.tif 000002
【実用新案登録請求の範囲】
【請求項１】
頭髪にカール処理を施すためのヘアカーラーに用いる交換式発熱体であって、
ヘアカーラーのロッド体側に対向して装着される内面と、該ロッド体に装着した後に頭髪を巻き付ける外面との２つの主面を有する袋体と、
該袋体の中に内装される発熱体と、
該袋体がロッド体外周で保持される保持手段とを備える
ことを特徴とするヘアカーラー用交換式発熱体。
【請求項２】
前記発熱体が、鉄粉の酸化発熱作用を用いる
請求項１に記載のヘアカーラー用交換式発熱体。
【請求項３】
前記保持手段が、前記内面に設けられた貼着テープであって、
使用時に前記ロッド体の外側に貼着し、使用後は剥がせるように構成した
請求項１又は２に記載のヘアカーラー用交換式発熱体。
【請求項４】
前記袋体の中に、温度によって所定の形状に変形する形状記憶材料で形成した略板体を前記発熱体と共に内装した
請求項１ないし３のいずれかに記載のヘアカーラー用交換式発熱体。
【請求項５】
前記発熱体のみを交換可能に構成した
請求項４に記載のヘアカーラー用交換式発熱体。
【請求項６】
前記請求項１ないし５のいずれかに記載の交換式発熱体と、
頭髪を巻き付ける筒状のロッド体と、
該ロッド体の外周にあって巻き付けた頭髪を押さえる押さえ体と
から構成されたヘアカーラー。
【考案の詳細な説明】
【技術分野】
【０００１】
本考案は、頭髪にヘアカールを施す際に用いるヘアカーラー用交換式発熱体であって、特にヘアカーラーのロッド周囲に装着する発熱体に関する。
【背景技術】
【０００２】
従来から頭髪にヘアカールを施すための様々なヘアカーラーが提案されている。カール処理は熱や化学反応によって毛髪にウェーブを形成し、それをある程度の期間保持するものである。
特に熱を利用した処理方法に用いるヘアカーラーとして、次の特許文献が開示されている。
【０００３】
特許文献１の自己発熱ヘアーカーラーは、内部に酸素および／または水と反応して発熱する物質が固定され、かつ不活性ガスが充填され密閉されている。そして密閉を開放することによって反応が生じて発熱する構成を開示している。
本考案による自己発熱ヘアーカーラーは不活性ガスを充填させて密封する点と、カーラー自体が使い捨てである点に特徴がある。
【０００４】
特許文献２に記載される携帯用ヘアカーラーの金属発熱体は、特定の組成からなる携帯用ヘアカーラーの発熱体を開示している。金属発熱組成物を通気性包材袋に入れ、巻き付け具内部に挿入して使用する。本考案は主として発熱体の温度特性、通気度に着目したものである。
【０００５】
特許文献３に記載されるヘアカーラーは、毛髪が巻き付けられる毛髪巻き付け具と、毛髪巻き付け具に対して着脱自在になされ、水蒸気を伴う熱を発生する蒸気温熱発生具とを含んで構成されている。蒸気温熱発生具に、毛髪巻き付け具に対する着脱操作をする際に把持される把持部が設けられたものである。本考案の温熱発生具には、空気との接触により発熱可能な発熱体を用いている。
【０００６】
特許文献４に記載されるパーマ用発熱シートは、可撓性を有する保持シートに発熱材が保持されて構成され、発熱材は外部電源からの電流供給により発熱するものである。発熱シートは毛髪と共に巻き、巻いた毛髪全体に、均一に熱を加えることができる、としている。また、別の実施形態としてパーマ用ロッドに毛髪を巻き、発熱シートを外側から覆う構成も開示している。
【先行技術文献】
【特許文献】
【０００７】
【特許文献１】実開昭５４−１５１５８５号
【特許文献２】特公平４−５７３２３号
【特許文献３】特開２０１１−２０６３８５号
【特許文献３】特開２００９−２０７８３２号
【考案の概要】
【考案が解決しようとする課題】
【０００８】
本考案は上記従来技術に照らして新たな構成のヘアカーラー用交換式発熱体を提供するものであって、カール処理に必要十分な加熱が可能であり、交換も容易なヘアカーラー用交換式発熱体を提供することを目的とする。
【課題を解決するための手段】
【０００９】
上記課題を解決するため、本考案は次のようなヘアカーラーを提供する。
請求項１に記載の考案は、頭髪にカール処理を施すためのヘアカーラーに用いる交換式発熱体であって、ヘアカーラーのロッド体側に対向して装着される内面と、該ロッド体に装着した後に頭髪を巻き付ける外面との２つの主面を有する袋体と、該袋体の中に内装される発熱体と、該袋体がロッド体外周で保持される保持手段とを備えることを特徴とする。
【００１０】
請求項２に記載の考案は、上記の発熱体が、鉄粉の酸化発熱作用を用いる構成であって、特に公知の使い捨て式カイロと同等の構成を有するものである。
【００１１】
請求項３に記載の考案は、上記の保持手段が、内面に設けられた貼着テープであって、使用時に前記ロッド体の外側に貼着し、使用後は剥がせるように構成したことを特徴とする。
【００１２】
請求項４に記載の考案は、上記の袋体の中に、温度によって所定の形状に変形する形状記憶材料で形成した略板体を発熱体と共に内装したことを特徴とする。形状記憶材料としては、形状記憶合金や、形状記憶樹脂を用いることができる。
【００１３】
請求項５に記載の考案は、上記の発熱体のみを交換可能に構成し、形状記憶材料で形成した略板体は繰り返し使用することを特徴とする。
【００１４】
請求項６に記載の考案によれば、上記のいずれかに記載の交換式発熱体と、頭髪を巻き付ける筒状のロッド体と、ロッド体の外周にあって巻き付けた頭髪を押さえる押さえ体とから構成されたヘアカーラーを提供することもできる。
【考案の効果】
【００１５】
本考案は上記構成により次のような効果を奏する。
すなわち、本考案によれば、発熱体が内装された袋体をロッド体外周に装着し、その状態で保持することができるので、装着や取り外しが容易であり、同時に頭髪が発熱体と密接することでカール処理の効果を高めることができる。
【００１６】
発熱体に鉄粉の酸化発熱作用を用いることにより、温度が管理しやすく、低コストの交換式発熱体を提供できる。
【００１７】
上記の保持手段として、内面に貼着テープを設けることにより、ロッド体に対して簡単に脱着することが可能であり、頭髪を巻き付けた際にもズレにくい交換式発熱体を提供することができる。
【００１８】
袋体の中に、温度によって所定の形状に変形する形状記憶材料で形成した略板体内装する構成によれば、発熱体による加熱によって頭髪を巻き付けたロッド体を覆う形状に変形させることができ、使用性の向上が図られる。
【００１９】
形状記憶材料は、比較的に高価であるため、略板体は繰り返し使用し、発熱体のみを交換可能とすることで使用時の低コスト化に寄与する。
【００２０】
本考案は、予め交換式発熱体を備え、上記の効果を奏するヘアカーラーとして提供することもできる。
【図面の簡単な説明】
【００２１】
【図１】本考案に用いるヘアカーラーの斜視図。
【図２】本考案に係る交換式発熱体の説明図。
【図３】ヘアカーラーに装着した状態の交換式発熱体の説明図。
【図４】本考案の別実施例に係る交換式発熱体の説明図。
【図５】異なる形状のヘアカーラーの斜視図。
【考案を実施するための形態】
【００２２】
以下、本考案の実施形態を、図面に示す実施例を基に説明する。なお、実施形態は下記に限定されるものではない。
頭髪にヘアカールを施す際にヘアカーラーが広く用いられている。本考案は周知のヘアカーラーに適用可能な新たな発熱体を提供するものである。
図１は本考案の交換式発熱体を用いるヘアカーラー（１）の斜視図であって、頭髪を巻き付ける筒状のロッド体（１０）と、ロッド体（１０）の外周にあって巻き付けた頭髪を押さえる押さえ体（２０）とから構成される。押さえ体（２０）は可撓性を有して開放部（２１）が拡がることで頭髪を巻き付けたロッド体（１０）に嵌合する。
【００２３】
第１の実施形態では、ロッド体（１０）は胴部（１１）が円周面をなす筒状であって、筒状の両端は開放している。本考案で用いるロッド体（１０）は軽量化を図ることが好ましく、このような筒状構造や、外周面を網目状にした構成が好適である。
【００２４】
図２は、本考案に係る交換式発熱体（３）の断面図（ａ）と、平面図（ｂ）である。交換式発熱体（３）は、ロッド体胴部（１１）の外周面に対向して巻き付けられる内面（３０）と、使用時に頭髪を巻き付ける外面（３１）の２面を有する袋体（３２）と、袋体（３２）の内部に内装された発熱体（３３）とから構成される。
【００２５】
発熱体（３３）は、鉄粉の酸化作用を利用した公知の使い捨てカイロと同等の構成で実現しており、中には、発熱体である鉄粉、反応触媒作用のある水及び食塩とそれを保持する高分子吸水剤、活性炭、バーミキュライト（ヒル石）が混ぜられている。そして、使用時に開封して揉み出すことで、酸化作用が開始し、発熱する。
【００２６】
加熱時の温度は６０℃ないし８０℃程度であって、特に６０℃程度の比較的低い温度で３０分程度発熱を持続する構成が好ましい。
本考案の発熱体に用いる材料は上記に限定されない。例えば、酢酸ナトリウムを過冷却状態で刺激した際に、結晶化に伴って生じる凝固熱を利用してもよい。その他、公知の発熱方法を用いることができる。
【００２７】
交換式発熱体（３）の内面（３０）のほぼ全体には貼着テープ（３４）が付設されている。未使用時には貼着テープ（３４）は剥離紙が貼られ、使用時に剥離紙を剥がすことで、粘着性のある貼着面（３４ａ）が露出する。
【００２８】
図３に示すように、ロッド体の胴部（１１）の外周面に交換式発熱体（３）を巻き付けながら、貼着テープ（３４）で貼り合わせる。交換式発熱体の縦方向の長さＬ１（図２参照）は、ロッド体（１０）の軸方向の長さと略同一であり、また横方向の長さＬ２は、ロッド体（１０）の外周面の周長と略同一としているので、使用者は位置合わせに苦労することなく、簡単に交換式発熱体（３）の装着作業を行うことができる。
【００２９】
交換式発熱体（３）の装着後、頭髪を外面（３１）に通常のヘアカーラーと同様に巻き付け、押さえ体（２０）を嵌合させる。この一連の作業により、交換式発熱体（３）からの発熱が頭髪に伝わり、カール処理を行うことができる。
所定の時間の経過後には、押さえ体（２０）を外し、交換式発熱体（３）をロッド体胴部（１１）から剥がして処理を終了する。
【００３０】
このように貼着テープ（３４）はロッド体胴部（１１）から剥がす必要があるので、本考案の実施に用いる貼着テープ（３４）は剥離しやすい接着性を有するテープが好ましい。また、ロッド体胴部（１１）の構成に応じ、円周面であれば接着力の弱いもの、網目状であれば接着力が強いものを選択することで適切な貼着性、剥離性を備えることができる。
【００３１】
図４は本考案の別実施例であり、袋体（３２）の中に、温度によって所定の形状に変形する形状記憶材料で形成した略板体（３５）を備えた交換式発熱体（３）である。
形状記憶材料として、形状記憶合金や形状記憶樹脂等が知られており、本考案ではこれらを適宜用いることができる。
【００３２】
未使用時には、図示のように平板状に発熱体（３３）と重層しているが、発熱体（３３）の発熱により加熱され、設定温度となる時にはロッド体胴部（１１）の直径と一致する程度に丸まって、簡単に巻き付くように変形する。
本実施例は、このような形状記憶材料を用いることで本考案の保持手段を構成するものである。
【００３３】
このような構成は、ロッド体（１０）への巻き付け作業を容易にするだけでなく、変形によって適切な温度になったことが一目瞭然であり、使用性の向上にも寄与する。さらに、交換式発熱体（３）が自動的に変形することはそれ自体の面白さにもつながる。
【００３４】
形状記憶材料を用いた略板体（３５）を使い捨てにすることは不経済であるため、袋体（３２）から発熱体（３３）を取り外し可能にして、略板体（３５）が繰り返し使用できるようにしてもよい。
使用者は使用後には発熱体（３３）は処分し、平温状態で略板体（３５）を再び平板状に変形させて、次の使用に備えればよい。
【００３５】
形状記憶合金の材料としては公知のようにチタン・ニッケルの合金、鉄・マンガン・ケイ素の合金などを用いることができる。また、異なる膨張率をもつ２つの金属を用いたバイメタルを形状記憶材料として用いても良い。
【００３６】
本考案は、上述した交換式発熱体（３）と、ヘアカーラー（１）を組み合わせて提供してもよい。
本考案で用いられるヘアカーラーは上記に限定されない。例えば、図５（ａ）のようにロッド体（４０）と押さえ体（４１）とが振り子状に連結され、頭髪をロッド体（４０）に巻き付けた状態で押さえ体（４１）をロッド体（４０）に被せて（図５（ｂ））使用するヘアカーラー（４）も公知である。
このようなヘアカーラー（４）でも、ロッド体（４０）の外周（４２）に交換式発熱体（３）を巻き付けて使用することができる。
【符号の説明】
【００３７】
１  ヘアカーラー
１０  ロッド体
１１  胴部
２０  押さえ体
２１  開放部
３  交換式発熱体
３０  内面
３１  外面
３２  袋体
３３  発熱体
３４  貼着テープ
３４a  貼着面
【図１】
0003188696.tif 000003
【図２】
0003188696.tif 000004
【図３】
0003188696.tif 000005
【図４】
0003188696.tif 000006
【図５】
0003188696.tif 000007
【手続補正書】
【提出日】平成25年11月25日(2013.11.25)
【手続補正１】
【補正対象書類名】実用新案登録請求の範囲
【補正対象項目名】全文
【補正方法】変更
【補正の内容】
【実用新案登録請求の範囲】
【請求項１】
頭髪にカール処理を施すためのヘアカーラーに用いる交換式発熱体であって、
ヘアカーラーのロッド体側に対向して装着される内面と、該ロッド体に装着した後に頭髪を巻き付ける外面との２つの主面を有する袋体と、
該袋体の中に内装される発熱体と、
該袋体がロッド体外周で保持される保持手段とを備える
ことを特徴とするヘアカーラー用交換式発熱体。
【請求項２】
前記発熱体が、鉄粉の酸化発熱作用を用いる
請求項１に記載のヘアカーラー用交換式発熱体。
【請求項３】
前記保持手段が、前記内面に設けられた貼着テープであって、
使用時に前記ロッド体の外側に貼着し、使用後は剥がせるように構成した
請求項１又は２に記載のヘアカーラー用交換式発熱体。
【請求項４】
前記袋体の中に、温度によって所定の形状に変形する形状記憶材料で形成した略板体を前記発熱体と共に内装した
請求項１ないし３のいずれかに記載のヘアカーラー用交換式発熱体。
【請求項５】
前記請求項１ないし４のいずれかに記載の交換式発熱体と、
頭髪を巻き付ける筒状のロッド体と、
該ロッド体の外周にあって巻き付けた頭髪を押さえる押さえ体と
から構成されたヘアカーラー。